(57)【要約】【課題】利用者が容易に読み取り面の清掃を行うことを可能とする原稿読み取り装置、原稿読み取りプログラムを提供する。【解決手段】原稿を読み取るための読み取り面が原稿搬送路側に設けられた読み取り手段と、前記読み取り面を遮蔽する遮蔽位置及び前記読み取り面を露出させる露出位置に移動可能に設けられ、前記遮蔽位置で前記読み取り面を遮蔽する遮蔽手段と、前記読み取り面の汚れを検出する検出手段と、前記検出手段により前記読み取り面の汚れが検出された際に、前記遮蔽位置に前記遮蔽手段が移動されないように制御する制御手段と、を備えている。【選択図】図６
2010034650.tif 000002
【特許請求の範囲】
【請求項１】
原稿を読み取るための読み取り面が原稿搬送路側に設けられた読み取り手段と、
前記読み取り面を遮蔽する遮蔽位置及び前記読み取り面を露出させる露出位置に移動可能に設けられ、前記遮蔽位置で前記読み取り面を遮蔽する遮蔽手段と、
前記読み取り面の汚れを検出する検出手段と、
前記検出手段により前記読み取り面の汚れが検出された際に、前記遮蔽位置に前記遮蔽手段が移動されないように制御する制御手段と、
を備えた原稿読み取り装置。
【請求項２】
前記制御手段は、原稿読み取り状態でない場合で、かつ前記検出手段により前記読み取り面の汚れが検出されない場合に、前記遮蔽位置に前記遮蔽手段が移動されるように制御し、原稿読み取り状態の場合に前記露出位置に前記遮蔽手段が移動されるように制御する請求項１記載の原稿読み取り装置。
【請求項３】
前記読み取り手段を前記原稿搬送路に対して接近及び離反する方向に移動可能とすると共に、前記遮蔽手段を原稿搬送路方向に沿って移動可能にした請求項１又は請求項２記載の原稿読み取り装置。
【請求項４】
前記検出手段は、前記制御手段により前記露出位置に前記遮蔽手段が移動された状態で、前記読み取り手段が基準板を読み取ることにより得られた読み取り情報に基づいて汚れを検出する請求項１〜請求項３のいずれか１項記載の原稿読み取り装置。
【請求項５】
前記検出手段は、前記読み取り手段により前記原稿の読み取りが終了した場合に汚れの検出を開始する請求項１〜請求項４のいずれか１項記載の原稿読み取り装置。
【請求項６】
前記検出手段により汚れが検出されたか否かを示す汚れ情報を記憶手段に記憶するように制御する記憶制御手段を更に有し、
前記検出手段は、前記記憶手段に記憶された汚れ情報が、前記読み取り面の汚れが検出されたことを示す場合に再度汚れの検出を開始する請求項１〜請求項５のいずれか１項記載の原稿読み取り装置。
【請求項７】
前記記憶手段に記憶された汚れ情報が、前記読み取り面の汚れが検出されたことを示す場合に、前記読み取り面が汚れていることを表示する表示手段と、
を更に有する請求項６に記載の原稿読み取り装置。
【請求項８】
コンピュータを、
原稿を読み取るための読み取り面が原稿搬送路側に設けられた読み取り手段と、前記読み取り面を遮蔽する遮蔽位置及び前記読み取り面を露出させる露出位置に移動可能に設けられ、前記遮蔽位置で前記読み取り面を遮蔽する遮蔽手段と、を有する原稿読み取り装置における前記読み取り面の汚れを検出する検出手段と、
前記検出手段により前記読み取り面の汚れが検出された際に、前記露出位置に前記遮蔽手段が移動されるように制御する制御手段と、
して機能させるための原稿読み取りプログラム。
【発明の詳細な説明】
【技術分野】
【０００１】
本発明は、原稿読み取り装置、原稿読み取りプログラムに関する。
【背景技術】
【０００２】
搬送路に沿って原稿を１枚ずつ搬送して原稿を読み取る原稿読み取り装置の中には、搬送路（原稿走行面）に面した位置にＣＩＳ（Contact Image Sensor／密着型イメージセンサ）等の読取センサを設け、この読取センサを用いて、搬送中の原稿を停止させることなく読み取るものがある。
【０００３】
このような原稿読み取り装置としての機能を兼ね備えた装置では、読取センサの読み取り面の受光部に汚れが付着すると、読み取った原稿の画像中に黒筋や白筋が発生してしまうので、受光部への汚れの付着を極力抑える必要がある。
【０００４】
このため例えば、特許文献１には、原稿読み取り部上流にクリーニングローラを設け、このクリーニングローラによって原稿読み取り部の手前で原稿の画像読取面に付着している汚れを除去し、原稿読み取り部への汚れの付着を未然に防ぐことが記載されている。
【０００５】
また特許文献２では、ＣＩＳを搬送路から退避又は搬送路に露出可能なシャッター機構を設けて、画像を読取る必要がない場合は、シャッターを閉じてＣＩＳを搬送路から退避させることで、紙粉やトナーカスの付着を防ぐ方法を提案している。
【特許文献１】特開２０００−３２７１５９号公報
【特許文献２】特開２００７−８８９１８号公報
【発明の開示】
【発明が解決しようとする課題】
【０００６】
上述した原稿読み取り装置では、原稿の搬送に伴って搬送路上にまき上がる紙紛やトナーのカス、塵や埃等が読み取り面に汚れとして付着してしまうことがある。また、長期間に亘って原稿が搬送されていくことにより付着する読み取り面への汚れは避けられない。この時シャッターが読取面アクセスの際に邪魔となり、利用者が読取面の清掃を実施することができない。また、利用者が清掃のタイミングを知ることができず利便性に欠ける。
【０００７】
以上説明したように、従来の読み取り装置では、利用者が容易に読み取り面の清掃を行うことができないという問題点があった。
【０００８】
本発明は上記問題点に鑑み、利用者が容易に読み取り面の清掃を行うことを可能とする原稿読み取り装置、原稿読み取りプログラムを提供することを目的とする。
【課題を解決するための手段】
【０００９】
上記目的を達成するために、請求項１の発明は、原稿を読み取るための読み取り面が原稿搬送路側に設けられた読み取り手段と、前記読み取り面を遮蔽する遮蔽位置及び前記読み取り面を露出させる露出位置に移動可能に設けられ、前記遮蔽位置で前記読み取り面を遮蔽する遮蔽手段と、前記読み取り面の汚れを検出する検出手段と、前記検出手段により前記読み取り面の汚れが検出された際に、前記遮蔽位置に前記遮蔽手段が移動されないように制御する制御手段と、を備えている。
【００１０】
また、請求項２の発明は、請求項１の発明において、前記制御手段は、原稿読み取り状態でない場合で、かつ前記検出手段により前記読み取り面の汚れが検出されない場合に、前記遮蔽位置に前記遮蔽手段が移動されるように制御し、原稿読み取り状態の場合に前記露出位置に前記遮蔽手段が移動されるように制御するものである。
【００１１】
また、請求項３の発明は、請求項１又は請求項２の発明において、前記読み取り手段を前記原稿搬送路に対して接近及び離反する方向に移動可能とすると共に、前記遮蔽手段を原稿搬送路方向に沿って移動可能にしたものである。
【００１２】
また、請求項４の発明は、請求項１〜請求項３のいずれか１項の発明において、前記検出手段は、前記制御手段により前記露出位置に前記遮蔽手段が移動された状態で、前記読み取り手段が基準板を読み取ることにより得られた読み取り情報に基づいて汚れを検出するものである。
【００１３】
請求項５の発明は、前記検出手段は、請求項１〜請求項４のいずれか１項の発明において、前記読み取り手段により前記原稿の読み取りが終了した場合に汚れの検出を開始するものである。
【００１４】
また、請求項６の発明は、請求項１〜請求項５のいずれか１項の発明において、前記検出手段により汚れが検出されたか否かを示す汚れ情報を記憶手段に記憶するように制御する記憶制御手段を更に有し、前記検出手段は、前記記憶手段に記憶された汚れ情報が、前記読み取り面の汚れが検出されたことを示す場合に再度汚れの検出を開始するものである。
【００１５】
請求項７の発明は、請求項６の発明において、前記記憶手段に記憶された汚れ情報が、前記読み取り面の汚れが検出されたことを示す場合に、前記読み取り面が汚れていることを表示する表示手段と、を更に有するものである。
【００１６】
また、上記目的を達成するために、請求項８の発明は、コンピュータを、原稿を読み取るための読み取り面が原稿搬送路側に設けられた読み取り手段と、前記読み取り面を遮蔽する遮蔽位置及び前記読み取り面を露出させる露出位置に移動可能に設けられ、前記遮蔽位置で前記読み取り面を遮蔽する遮蔽手段と、を有する原稿読み取り装置における前記読み取り面の汚れを検出する検出手段と、前記検出手段により前記読み取り面の汚れが検出された際に、前記露出位置に前記遮蔽手段が移動されるように制御する制御手段と、して機能させるための原稿読み取りプログラムである。
【発明の効果】
【００１７】
請求項１又は請求項８の発明によれば、利用者が容易に読み取り面の清掃を行うことを可能とすることができる。
【００１８】
請求項２の発明によれば、読み取り状態以外は遮蔽することにより、本発明を適用しない場合に比較して、より確実に汚れの付着を阻止することができる。
【００１９】
請求項３の発明によれば、読み取り手段を原稿搬送路に対して接近させることにより、本発明を適用しない場合に比較して、利用者が容易に清掃をすることができる。
【００２０】
請求項４の発明によれば、読み取り手段を用いて汚れを検出することにより、本発明を適用しない場合に比較して、構成部品の数を低減することができる。
【００２１】
請求項５の発明によれば、汚れが付着しやすい原稿の読み取り終了後に汚れを検出することにより、本発明を適用しない場合に比較して、より確実に汚れを検出することができる。
【００２２】
請求項６の発明によれば、汚れ情報が汚れを検出したことを示す場合は、利用者により清掃されている可能性があるため、汚れ情報が汚れを検出したことを示す場合に汚れを検出することで、本発明を適用しない場合に比較して、利用者により清掃されたにも関わらず汚れ情報が汚れを示す不整合を回避することができる。
【００２３】
請求項７の発明によれば、利用者に対して読み取り面が汚れていることを表示することにより、利用者が清掃のタイミングを知ることができる結果、本発明を適用しない場合に比較して、利用者の利便性を高めることができる。
【発明を実施するための最良の形態】
【００２４】
以下、図面を参照して、本発明の実施の形態について詳細に説明する。
【００２５】
まず、図１を参照して、本実施の形態に係る原稿読み取り装置１０の全体構成を説明する。
【００２６】
同図に示すように、原稿読み取り装置１０は、原稿搬送部１２（以下、ＤＡＤＦ（Dual Auto Document Feeder）と記す）と画像読取部１４とを備えている。
【００２７】
ＤＡＤＦ１２は、画像が記録された原稿１８が置かれる原稿台２０を備えており、原稿台２０に置かれた原稿１８は、一枚ずつ取り出しロール２２で取り出され、原稿搬送路２４へ送られる。
【００２８】
原稿搬送路２４に送られた原稿１８は、搬送ロール対２６によって画像読取部１４による表面読取位置まで搬送され、表面を画像読取部１４で読み取られた後、表面読取位置よりも搬送方向下流側に設置されている裏面画像読取部２８に搬送され、裏面を裏面画像読取部２８で読み取られた後、排紙部３０に排紙される。
【００２９】
また、裏面画像読取部２８は、原稿を読み取るための読み取り面２８Ａが原稿搬送路側に設けられ、原稿１８及び基準板４６に対して照明光を照射する主走査方向に沿って配列された複数の発光素子を備えた光源と、光源により照明された原稿１８及び基準板４６を複数の画素に分割して測光し、画素毎に測光した画素値に応じた画素値情報を出力するラインセンサとを含む。
【００３０】
また、裏面画像読取部２８には、上記ラインセンサが原稿を読み取る読み取り面２８Ａがあり、更に裏面画像読取部２８は、矢印Ａに示されるように原稿搬送路２４に対して接近及び離反する方向に移動可能となっている。
【００３１】
更に、シャッター２９は、矢印Ｂ方向、すなわち搬送路方向に沿って移動可能となっており、読み取り面２８Ａを遮蔽する遮蔽位置及び読み取り面２８Ａを露出させる露出位置に移動可能に設けられ、遮蔽位置で読み取り面２８Ａを遮蔽する。また、シャッター２９には、シェーディング処理で用いるための白基準板が設けられている。
【００３２】
上記裏面画像読取部２８及びシャッター２９は、図２に示されるように、ステッピングモータ２８Ｂ、２９Ａ（以下、シャッターモーター９４と記す）により移動可能となっている。この移動機構は、シャッターモーター９４の回転力を直線の動きに変換するラックピニオン型の機構となっており、この機構により裏面画像読取部２８及びシャッター２９が移動可能となっている。
【００３３】
そして、上述した遮蔽位置が図３（Ａ）に示されるシャッター２９の位置であり、露出位置が図３（Ｂ）に示されるシャッター２９の位置である。図３（Ａ）に示されるシャッター２９は、読み取り面２８Ａを遮蔽する位置に移動しており、図３（Ｂ）に示されるシャッター２９は、読み取り面２８Ａを露出する位置に移動している。
【００３４】
なお、上述したＤＡＤＦ１２と画像読取部１４は、図示しない支軸を中心にＤＡＤＦ１２が画像読取部１４の上方へ開閉可能とされている。すなわち、一般の画像形成装置のように、ＤＡＤＦ１２の下面が利用者に露出される状態となる仕組みとなっている。
【００３５】
また、同図（Ｂ）に示されるように、ＤＡＤＦ１２には、開閉可能に設けられると共に、開放された状態でシャッター２９を露出させるジャムクリアカバー１６が設けられている。このジャムクリアカバー１６を開放すると、利用者の手を挿入することが可能となる。
【００３６】
従って、利用者は、同図（Ｂ）に示されるようにジャムクリアカバー１６を開放して読み取り面２８Ａを清掃することができる。もちろん、清掃する場合にはシャッター２９が読み取り面２８Ａを露出する位置に移動している必要がある。
【００３７】
図１の説明に戻る。画像読取部１４は、上面に原稿１８を置くことが可能とされている透明なプラテンガラス３２を備えており、上記表面読取位置はプラテンガラス３２の上面に位置している。
【００３８】
表面読取位置におけるプラテンガラス３２の下側には、原稿１８の表面に向けて照明光を照射する光源３４と、原稿１８の表面で反射した反射光を受ける第１反射ミラー３６、第１反射ミラー３６で受けた反射光の進行方向を９０°曲げるための第２反射ミラー３８、第２反射ミラー３８で受けた反射光の進行方向をさらに９０°曲げるための第３反射ミラー４０とが備えられている。
【００３９】
また、画像読取部１４は、レンズ４２と、複数の画素を備えた光検出部４４とを備えており、画像読取部１４は、第３反射ミラー４０で反射された反射光を、レンズ４２によって光検出部４４に結像させることで、原稿１８の表面を読み取る。
【００４０】
なお、本実施の形態に係る原稿読み取り装置１０は、光源３４として蛍光ランプを適用するが、これに限らず、原稿１８の搬送方向と交差する方向に沿って配列された複数のＬＥＤ（Light Emitting Diode）等、他の光源を適用しても良い。
【００４１】
また、本実施の形態に係る原稿読み取り装置１０では、光検出部４４として複数のＣＣＤ（Charge Coupled Device）で構成されるＣＣＤラインセンサを適用するが、これに限らず、ＣＭＯＳ（Complementary Metal-Oxide Semiconductor）イメージセンサ等の固体撮像素子を適用しても良い。
【００４２】
なお、本実施の形態に係る原稿読み取り装置１０は、光源３４、第１反射ミラー３６、第２反射ミラー３８、及び第３反射ミラー４０が図１の矢印Ｃ方向に移動可能とされている。これにより、ＤＡＤＦ１２が画像読取部１４の上方へ開けられ、プラテンガラス３２の上面に原稿１８が置かれた場合に、光源３４から照明光を原稿１８に向けて照射しつつ、矢印Ａ方向へ光源３４、第１反射ミラー３６、第２反射ミラー３８、及び第３反射ミラー４０を移動させることで、上記原稿１８に記録された画像を読み取ることが可能とされている。
【００４３】
次に、図４を用いて原稿読み取り装置１０のハードウェア構成について説明する。原稿読み取り装置１０は、主にコントローラ５０、画像読取制御部５２、ＤＡＤＦ制御部５４、裏面画像読取制御部５６、ＣＣＤ５８、及びＵＩ（User Interface）６０で構成されている。
【００４４】
このうち、コントローラ５０は、原稿読み取り装置１０全体の制御を行う。また、コントローラ５０は、画像読取制御部５２及び裏面画像読取制御部５６から画像信号を受信し、ＵＩ６０からは利用者の指示等が入力される。また、ＵＩ６０は、利用者に対して情報を表示するための表示画面を有する。更にコントローラ５０は、画像読取制御部５２にスキャン指示を出したり、画像読取制御部５２から読み取り面２８Ａの汚れ通知が来ると、ＵＩ６０により、読み取り面が汚れていることを表示する機能を持つ。読み取り面が汚れていること表示例として、読み取り面２８Ａの清掃を促すメッセージを表示することが挙げられる。
【００４５】
画像読取制御部５２は、この原稿読み取り装置１０における画像の読取処理全体を制御するもので、ＤＡＤＦ制御部５４、裏面画像読取制御部５６、ＣＣＤ５８、走査制御部７２、ＤＡＤＦ開閉センサ９０、及び照明制御部７６等の制御を行う。
【００４６】
具体的に、画像読取制御部５２は、コントローラ５０からの読取指示に従い、原稿表面側の画像読取を制御し、画像処理を施した上でコントローラ５０に画像を送る機能を持つ。
【００４７】
ＤＡＤＦ開閉センサ９０は、ＤＡＤＦ１２が画像読取部１４の上方へ開いているか否かを検出するセンサであり、検出結果は画像読取制御部５２へ送られる。ＤＡＤＦ１２が画像読取部１４の上方へ開いている場合には、ジャムクリアカバー１６が開放可能となることから、ＤＡＤＦ開閉センサ９０は、ジャムクリアカバー１６が開放可能か否かを検出するものでもある。
【００４８】
また、画像読取制御部５２は、表面ＲＯＭ（Read Only Memory）６８、及び表面ＮＶＭ（Non Volatile Memory）７０にアクセス可能となっている。
【００４９】
表面ＲＯＭ６８及び表面ＮＶＭ７０は、原稿の表面を読み取るための各種プログラムやそのときに用いられる各種情報等が記憶されている。
【００５０】
なお、走査制御部７２は、原稿を読み取る際の走査に関する制御を行うものであり、モーター７４の制御も行う。このモーター７４は、図１で説明した光源３４と各種ミラーを一体的に移動させるモーターである。また、照明制御部７６は、光源３４を制御するものである。
【００５１】
ＤＡＤＦ制御部５４は、ＤＡＤＦ１２を制御するものであり、上述したロール２２や搬送ロール対２６を回転させるためのモーターを制御する各ローラ制御部６４、及び各センサ６２からの情報を受信する。
【００５２】
また、ＤＡＤＦ制御部５４は、シャッター駆動部９６を制御する。シャッター駆動部９６は、上記シャッターモーター９４を制御する。
【００５３】
更に裏面画像読取制御部５６は、画像読取制御部５２からの指示で、裏面画像読取部２８に含まれる裏面密着センサ８０を制御するものであり、裏面側の読取制御を行い、画像処理を施した上でコントローラ５０に画像情報を送る機能を持つ。また読み取り面２８Ａの汚れを検出する汚れ検出機能も持つ。
【００５４】
更に、裏面画像読取制御部５６は、裏面ＲＯＭ８２、裏面ＲＡＭ（Random Access Memory）８４、裏面ＮＶＭ８６、及び裏面ＥＥＰＲＯＭ（Electrically Erasable and Programmable Read Only Memory）８８にアクセス可能となっている。
【００５５】
また、裏面ＲＯＭ８２には、裏面画像読取制御部５６を動作させるためのプログラム等が記憶されている。裏面ＲＡＭ８４は、裏面画像読取制御部５６が動作する際に使用するメモリである。裏面ＥＥＰＲＯＭ８８には、汚れが存在しない基準板を測光することで得られたシェーディング補正用の情報（補正用画素値情報）が記憶されている。裏面ＮＶＭ８６には、裏面側の各種調整値等や、汚れ検出機能により汚れが検出されたか否かを示す（汚れ情報は汚れ度合いも含むようにしても良い）示す汚れ情報が記憶されている。
【００５６】
以下、フローチャートを用いて本実施の形態に係る読み取り処理について説明する。この読み取り処理は、電源投入時処理と通常時処理に分けられる。まず、電源投入時処理の流れについて、図５のフローチャートを用いて説明する。なお、以下のフローチャートの説明では、シャッター２９を、遮蔽位置に移動させることを、シャッター２９をクローズ（又はシャッタークローズ）と表現し、シャッター２９を、露出位置に移動させることを、シャッター２９をオープン（又はシャッターオープン）と表現する。
【００５７】
まず、ステップ１０１でコントローラ５０が電源投入を検知すると、ステップ１０２で画像読取制御部５２はＤＡＤＦ制御部５４にシャッタークローズを命令することでシャッター駆動部９６がシャッター２９をクローズする。
【００５８】
次のステップ１０３で、電源投入時各種処理が行われる。具体的に例えば、画像読取制御部５２は裏面画像読取制御部５６に電源投入時に行なうべき処理の実施を指示し、裏面画像読取制御部５６はシャッター２９上に設けられた白基準板を読み、シェーディング処理等を実施する。
【００５９】
次のステップ１０４で、画像読取制御部５２は裏面ＮＶＭ８６に記憶された汚れ情報が、読み取り面２８Ａの汚れが検出されたことを示すか否か判定する。ここでは、汚れ情報を汚れフラグと表現し、汚れが検出されたことを示す場合に「汚れフラグオン」と表現し、汚れが検出されていないことを示す場合に「汚れフラグオフ」と表現する。
【００６０】
このステップ１０４で否定判定した場合には、電源投入時処理を終了する。一方、ステップ１０４で肯定判定した場合には、ステップ１０５で画像読取制御部５２はＤＡＤＦ制御部５４にシャッターオープンを命令することでシャッター駆動部９６がシャッター２９をオープンする。
【００６１】
次のステップ１０６で、画像読取制御部５２はコントローラ５０に汚れていることを送信することにより、コントローラ５０はＵＩ６０の表示画面に読み取り面２８Ａが汚れていることを示す清掃メッセージを表示して、処理を終了する。すなわち、裏面ＮＶＭ８６に記憶された汚れフラグが、読み取り面２８Ａの汚れが検出されたことを示す場合に、読み取り面２８Ａが汚れていることを表示する。
【００６２】
この電源投入時処理が終了すると、次に通常時処理に移行する。この通常時処理とは、原稿を読み取ることが可能な状態と原稿を読み取る動作をしている状態を含む状態での処理を示している。
【００６３】
通常時処理の流れを、図６のフローチャートを用いて説明する。画像読取制御部５２はＤＡＤＦ開閉センサ９０から、ＤＡＤＦ１２が画像読取部１４の上方へ開いていないこと、すなわち閉じていることを示す“閉”動作信号をモニタしているので、まずステップ２０１でＤＡＤＦ１２が閉じているか否か判定し、否定判定した場合には、ステップ２０８に処理が進む。一方、ステップ２０１で肯定判定した場合には、次のステップ２０２で、画像読取制御部５２は裏面ＮＶＭ８６に記憶された汚れ情報が、読み取り面２８Ａの汚れが検出されたことを示すか否か判定する。
【００６４】
ステップ２０２で否定判定した場合には、ステップ２０８に処理が進む。一方、ステップ２０２で肯定判定した場合には、次のステップ２０３で、画像読取制御部５２はＤＡＤＦ制御部５４にシャッターオープンを命令することでシャッター駆動部９６がシャッター２９をオープンする。
【００６５】
次のステップ２０４で、画像読取制御部５２は裏面画像読取制御部５６へ汚れ検出処理の実施を指示することで、裏面画像読取制御部５６は基準板の情報を読取り、汚れ度合いを判定した後に裏面ＮＶＭ８６に記憶された汚れ情報を更新する。この汚れ検出処理は、露出位置にシャッター２９が移動された状態で、裏面画像読取部２８が基準板を読み取ることにより得られた読み取り情報に基づいて読み取り面２８Ａの汚れを検出する処理である。この汚れの検出の詳細については後述する。
【００６６】
次のステップ２０５で、画像読取制御部５２は裏面ＮＶＭ８６に記憶された汚れ情報が、読み取り面２８Ａの汚れが検出されたことを示すか否か判定する。ステップ２０５で否定判定した場合には、ステップ２０８に処理が進む。一方、ステップ２０５で肯定判定した場合には、次のステップ２０６で、画像読取制御部５２はコントローラ５０に汚れていないことを送信することにより、コントローラ５０はＵＩ６０の表示画面において読み取り面が汚れていることを示す清掃メッセージを非表示とする。
【００６７】
次のステップ２０７で、画像読取制御部５２はＤＡＤＦ制御部５４にシャッタークローズを命令することでシャッター駆動部９６がシャッター２９をクローズする。
【００６８】
画像読取制御部５２はコントローラ５０からの両面読み取り命令を監視しており、ステップ２０８で、両面読み取り命令がコントローラ５０から指示された場合には、ステップ２０９の両面読み取り処理を行い、ステップ２０１の処理に戻る。一方、ステップ２０８で、両面読み取り命令がコントローラ５０から指示されていない場合には、ステップ２０１の処理に戻る。
【００６９】
上記通常時処理では、ステップ２０３でシャッター２９がオープンされ、その後汚れが検出された場合に、ステップ２０７のシャッター２９をクローズする処理を行なわないようにしている。すなわち、読み取り面２８Ａの汚れが検出された際に、遮蔽位置にシャッター２９が移動されないように画像読取制御部５２が制御している。
【００７０】
次に、図７のフローチャートを用いて、両面読み取り処理の流れについて説明する。まず、ステップ３０１で、画像読取制御部５２はシャッター２９がクローズしているか否か判定し、肯定判定し場合には、ステップ３０３に処理が進み、否定判定した場合には、ステップ３０２で画像読取制御部５２はＤＡＤＦ制御部５４にシャッタークローズを命令することでシャッター駆動部９６がシャッター２９をクローズする。
【００７１】
次のステップ３０３で、画像読取制御部５２は裏面画像読取制御部５６に両面読み取りの前処理の実行を指示し、裏面画像読取制御部５６はシャッター２９に設けられた白基準板を読み、シェーディング処理等の前処理を行なう。
【００７２】
次のステップ３０４で、画像読取制御部５２はＤＡＤＦ制御部５４にシャッターオープンを命令することでシャッター駆動部９６がシャッター２９をオープンし、ステップ３０５で両面読み取り処理が行なわれる。
【００７３】
ステップ３０６で、画像読取制御部５２は裏面画像読取制御部５６へ汚れ検出処理の実施を指示することで、裏面画像読取制御部５６は背景白板の情報を読取り、汚れ度合いを判定した後に裏面ＮＶＭ８６に記憶された汚れ情報を更新する。すなわち、裏面画像読取部２８により原稿の読み取りが終了した場合に汚れの検出を開始する。
【００７４】
ステップ３０７で、画像読取制御部５２は裏面ＮＶＭ８６に記憶された汚れ情報が、読み取り面２８Ａの汚れが検出されたことを示すか否か判定する。このステップ３０７で肯定判定した場合には、ステップ３１０で、画像読取制御部５２はコントローラ５０に汚れていることを送信することにより、コントローラ５０はＵＩ６０の表示画面に清掃メッセージを表示して、処理を終了する。すなわち、裏面ＮＶＭ８６に記憶された汚れフラグが、読み取り面２８Ａの汚れが検出されたことを示す場合に、読み取り面２８Ａが汚れていることを表示する。
【００７５】
一方、ステップ３０７で否定判定した場合には、ステップ３０８で、画像読取制御部５２はコントローラ５０に汚れていないことを送信することにより、コントローラ５０はＵＩ６０の表示画面において読み取り面が汚れていることを示す清掃メッセージを非表示とする。
【００７６】
次のステップ３０９で、画像読取制御部５２はＤＡＤＦ制御部５４にシャッタークローズを命令することでシャッター駆動部９６がシャッター２９をクローズして処理を終了する。
【００７７】
上記両面読み取り処理では、ステップ３０４でシャッター２９がオープンされ、その後汚れが検出された場合に、ステップ３０９のシャッター２９をクローズする処理を行なわないようにしている。すなわち、読み取り面２８Ａの汚れが検出された際に、遮蔽位置にシャッター２９が移動されないように画像読取制御部５２が制御している。
【００７８】
更に図５、図６、図７に示した処理においては、画像読取制御部５２は、原稿読み取り状態でない場合で、かつ読み取り面２８Ａの汚れが検出されない場合に、遮蔽位置にシャッター２９が移動されるように制御し、原稿読み取り状態の場合に露出位置にシャッター２９が移動されるように制御している。
【００７９】
上述した汚れ検出処理の一例を説明する。図８に示されるグラフは、横軸が主走査方向の画素の位置を示し、縦軸は画素値を示している。そして、図８では、上記裏面ＥＥＰＲＯＭ８８に記憶された補正用画素値情報が示す補正用画素値がなす曲線Ｑと基準板４６を読み取ったことにより得られた基準板画素値がなす曲線Ｒが示されている。
【００８０】
更に基準板画素値は、汚れによる影響を受けた画素値が２つほど示されている。この状態で、位置が同じ補正用画素値と基準板画素値のそれぞれの値をα、βとし、それらの比β/αの値を調べる。
【００８１】
汚れによる影響を受けない基準板画素値の場合のβ/αは、曲線ＱＲが相似していることから、予め定められた範囲内の値となる。一方、汚れによる影響を受けた基準板画素値の場合のβ/αは、上記予め定められた範囲外の値となる可能性が高い。
【００８２】
具体的には、図９に示されるように、汚れによる影響を受けない基準板画素値の場合のβ/αはある値（図では１．０）の近傍に分布するが、汚れによる影響を受けた基準板画素値の場合のβ/αは、１．０と比較して大きく異なる可能性が高い。
【００８３】
そこで、予め定められた範囲外に基準板画素値が存在した場合に、読み取り面に汚れがあると判断することで、汚れを検出することができる。また、汚れ度合いは、例えば範囲外の画素の数などを記憶しておくことにより判断することができる。
【００８４】
なお、以上説明した各フローチャートの処理の流れは一例であり、本発明の主旨を逸脱しない範囲内で処理順序を入れ替えたり、新たなステップを追加したり、不要なステップを削除したりすることができることは言うまでもない。
【図面の簡単な説明】
【００８５】
【図１】実施の形態に係る原稿読み取り装置の全体構成を示す図である。
【図２】シャッターと裏面画像読取部を移動させる機構を示す図である。
【図３】シャッターが移動する読み取り面を遮蔽する位置及び露出させる位置を示す図である。
【図４】原稿読み取り装置のハードウェア構成を示す図である。
【図５】電源投入時処理の流れを示すフローチャートである。
【図６】通常時処理の流れを示すフローチャートである。
【図７】両面読み取り処理の流れを示すフローチャートである。
【図８】補正用画素値がなす曲線と基準板画素値がなす曲線を示す図である。
【図９】基準板画素値と補正用画素値との比の分布を示す図である。
【符号の説明】
【００８６】
１０  原稿読み取り装置
１２  原稿搬送部（ＤＡＤＦ）
１４  画像読取部
１８  原稿
２８  裏面画像読取部
２８Ａ  読み取り面
２８Ｂ、２９Ａ  ステッピングモータ
２９  シャッター
４６  白基準板
５０  コントローラ
５２  画像読取制御部
５４  ＤＡＤＦ制御部
５６  裏面画像読取制御部（汚れ検出機能）
８６  裏面ＮＶＭ
８８  裏面ＥＥＰＲＯＭ
９０  ＤＡＤＦ開閉センサ
９４  シャッターモーター
９６  シャッター駆動部
【図１】
2010034650.tif 000003
【図２】
2010034650.tif 000004
【図３】
2010034650.tif 000005
【図４】
2010034650.tif 000006
【図５】
2010034650.tif 000007
【図６】
2010034650.tif 000008
【図７】
2010034650.tif 000009
【図８】
2010034650.tif 000010
【図９】
2010034650.tif 000011